(57)【特許請求の範囲】
【請求項１】
圧縮機、水冷媒熱交換器、減圧器、蒸発器を接続した冷媒回路と、前記水冷媒熱交換器にて加熱された熱媒を外部放熱器へと循環させる循環ポンプと、外方へ突出した後方外装体を有し前記水冷媒熱交換器を内設した外装体と、前記外装体と前記外部放熱器とを配管で接続する熱媒往きポート、熱媒戻りポートと、前記熱媒を貯湯するシスターンタンクとを備え、前記外装体の側方に、前記熱媒往きポート、前記熱媒戻りポートを配設し、かつ、前記後方外装体内に前記シスターンタンク、前記循環ポンプを配設するとともに、前記後方外装体の底部が、前記水冷媒熱交換器の上部と略同一位置になるように構成したことを特徴とするヒートポンプ温水暖房装置。
【請求項２】
前記後方外装体内に配設されたシスタータンクの給水口を、前記後方外装体より突出させる構成としたことを特徴とする請求項１に記載のヒートポンプ温水暖房装置。
【発明の詳細な説明】
【技術分野】
【０００１】
本発明は、水あるいは不凍液などの熱媒を加熱して暖房を行うことができるヒートポンプ温水暖房装置に関するものである。
【背景技術】
【０００２】
従来、この種のヒートポンプ温水暖房装置は、圧縮機、水冷媒熱交換器、減圧手段および蒸発器である蒸発器を環状に接続した冷凍回路と、この冷媒回路から冷媒の供給を受けて熱交換により低温の水あるいは不凍液などの熱媒を加熱し高温の水あるいは不凍液などの熱媒とする水冷媒熱交換器と、この水冷媒熱交換器で加熱された水あるいは不凍液などの熱媒を搬送する循環ポンプと、加熱された水あるいは不凍液などの熱媒を貯めるシスターンタンクを備え、前記シスターンタンクと循環ポンプはヒートポンプ装置の上に載置されている。
【０００３】
図１１は、従来のヒートポンプ温水暖房装置００の上面内観図と正面要部内観図を示すものであり、水あるいは不凍液などの熱媒の補給と、膨張した水あるいは不凍液などの熱媒のバッファの役目をするシスターンタンク１０１と、温水を離れた所に設置した外部放熱器（床暖房やファンコンベクターなど）に供給する循環ポンプ１０２を備え、それらを全周を外装枠１０３で覆い、ヒートポンプ装置１０４を上下仕切板１０５で上下に分割した上方に載置したことを特徴としている。
【０００４】
また、外部放熱器と配管を接続するための複数の接続口を有する熱媒往きポート１０６、熱媒戻りポート１０７も同じく水平仕切板１０５の上方で、複数の接続口は水平方向に、後方に向いて配されている。また、ヒートポンプ装置１０４の右側方には、電源線などを収納する配管カバー１０８が設けられている（例えば、特許文献１参照）。
【先行技術文献】
【特許文献】
【０００５】
【特許文献１】特開２０１０−１４４９８６号公報
【発明の概要】
【発明が解決しようとする課題】
【０００６】
しかしながら、特許文献１の構成では、水を貯めるシスターンタンク１０１、水を搬送する循環ポンプ１０２が、ヒートポンプ装置の上方にあることは、シスターンタンク１０１から膨張した水が溢れて漏れた場合、あるいは、循環ポンプ１０２の配管接合部から漏れた場合などに、ヒートポンプ装置１００に流れ、ヒートポンプ装置１００内部に侵入する可能性がある。
【０００７】
それを防ぐために、ヒートポンプ装置上方のシスターンタンク１０１周囲に堰を設けるなどの対策を行うことが必要だが、そのことは部品点数の増加、ひいてはコストアップにつながることとなるなど、コスト面で課題を有している。
【０００８】
本発明は上記課題を解決するもので、低コストで使用性の向上を実現したヒートポンプ温水暖房装置を提供することを目的とする。
【課題を解決するための手段】
【０００９】
前記従来の課題を解決するために、本発明のヒートポンプ温水暖房装置は、圧縮機、水冷媒熱交換器、減圧器、蒸発器を接続した冷媒回路と、前記水冷媒熱交換器にて加熱され
た熱媒を外部放熱器へと循環させる循環ポンプと、外方へ突出した後方外装体を有し前記水冷媒熱交換器を内設した外装体と、前記外装体と前記外部放熱器とを配管で接続する熱媒往きポート、熱媒戻りポートと、前記熱媒を貯湯するシスターンタンクとを備え、前記外装体の側方に、前記熱媒往きポート、前記熱媒戻りポートを配設し、かつ、前記後方外装体内に前記シスターンタンク、前記循環ポンプを配設するとともに、前記後方外装体の底部が、前記水冷媒熱交換器の上部と略同一位置になるように構成したことを特徴とするものである。
【００１０】
これにより、後方外装体の直下を最大接続数４系統（８本）の熱媒配管を引き回すスペースを確保し引き回すことが可能となるとともに、ヒートポンプ温水暖房装置の左方向へ熱媒配管を引き回した際に、熱媒配管の上下方向の動きを後方外装体の底部で規制し、かつ、外装体内に配設された水冷媒熱交換器の高さ付近で収まることで、蒸発器の熱媒配管による通風妨害を防ぎ、性能の低下を防止することができる。
【発明の効果】
【００１１】
本発明によれば、低コストで使用性の向上を実現したヒートポンプ温水暖房装置を提供できる。
【図面の簡単な説明】
【００１２】
【図１】本発明の実施の形態１におけるヒートポンプ温水暖房装置の冷媒回路および水回路図
【図２】同ヒートポンプ温水暖房装置の正面内観斜視図
【図３】同ヒートポンプ温水暖房装置の背面内観斜視図
【図４】同ヒートポンプ温水暖房装置の外観斜視図
【図５】同ヒートポンプ温水暖房装置の背面外観斜視図
【図６】同ヒートポンプ温水暖房装置の固定金具取付構成図
【図７】同ヒートポンプ温水暖房装置の右側面図
【図８】同ヒートポンプ温水暖房装置の外箱詳細斜視図
【図９】同ヒートポンプ温水暖房装置の固定金具詳細斜視図
【図１０】同ヒートポンプ温水暖房装置の施工図
【図１１】同ヒートポンプ温水暖房装置の配管施工斜視図
【図１２】（ａ）従来のヒートポンプ温水暖房装置の内観上面図（ｂ）従来のヒートポンプ温水暖房装置の正面図
【図１３】（ａ）従来の放熱器を備えた温水加熱機能付き冷暖房用エアコンの要部斜視図（ｂ）従来の放熱器を備えた温水加熱機能付き冷暖房用エアコンの正面図
【発明を実施するための形態】
【００１３】
第１の発明は、圧縮機、水冷媒熱交換器、減圧器、蒸発器を接続した冷媒回路と、前記水冷媒熱交換器にて加熱された熱媒を外部放熱器へと循環させる循環ポンプと、外方へ突出した後方外装体を有し前記水冷媒熱交換器を内設した外装体と、前記外装体と前記外部放熱器とを配管で接続する熱媒往きポート、熱媒戻りポートと、前記熱媒を貯湯するシスターンタンクとを備え、前記外装体の側方に、前記熱媒往きポート、前記熱媒戻りポートを配設し、かつ、前記後方外装体内に前記シスターンタンク、前記循環ポンプを配設するとともに、前記後方外装体の底部が、前記水冷媒熱交換器の上部と略同一位置になるように構成したことを特徴とするヒートポンプ温水暖房装置である。
【００１４】
これにより、後方外装体の直下を最大接続数４系統（８本）の熱媒配管を引き回すスペースを確保し引き回すことが可能となるとともに、ヒートポンプ温水暖房装置の左方向へ熱媒配管を引き回した際に、熱媒配管の上下方向の動きを後方外装体の底部で規制し、かつ、外装体内に配設された水冷媒熱交換器の高さ付近で収まることで、蒸発器の熱媒配管
による通風妨害を防ぎ、性能の低下を防止することができる。
【００１５】
第２の発明は、前記後方外装体内に配設されたシスタータンクの給水口を、前記後方外装体より突出させる構成としたことを特徴とするもので、外装体を脱着せずに、容易に給水作業が行えメンテナス性が向上できる。
【００１６】
また、万一給水作業時に水がオーバーフローした場合、給水口以外は外装体で覆われているため機器内部への水の浸入を防止し、安全性を向上することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態におけるヒートポンプ温水暖房装置の冷媒回路、水回路図である。
【００１９】
１は循環される水あるいは不凍液などの熱媒を加熱するためのヒートポンプ温水暖房装置の室外機であり、２はヒートポンプ温水暖房装置の室外機１と熱媒配管３で接続された外部放熱器であり、図では床暖房などのパネル状の外部放熱器としているが、パネルヒーターまたは送風ファンを備えたファンコンベクターなどでも構わない。
【００２０】
前記室外機１で生成された温水が、熱媒配管３を通り、外部放熱器２へと送られ、外部放熱器２の設置された居室を暖房するのが、温水暖房であり、室外機１はその熱源となるものである。
【００２１】
このヒートポンプ熱源機の室外機１内に組み込まれている部品は以下の様になっている。
【００２２】
ヒートポンプ温水暖房装置には、冷媒を圧縮し循環する圧縮機４、熱伝導率の高い銅管で構成された、水あるいは不凍液などの熱媒と冷媒の熱交換を行う水冷媒熱交換器５、減圧手段である膨張弁６、空気冷媒熱交換器である蒸発器７があり、圧縮機４、水冷媒熱交換器５、減圧手段６、蒸発器７を順次環状に接続して閉回路を構成し、冷媒を循環させる冷媒回路８を構成している。
【００２３】
水冷媒熱交換器５は、銅管で構成され、冷媒管５ａを外方に配し、内方に水管５ｂを配した二重管構造の熱交換器であり、外方を冷媒が循環し、内方を水あるいは不凍液などの熱媒が冷媒の流れとは逆方向に循環させることで熱交換を行い、水あるいは不凍液などの熱媒を加熱するようになっている。
【００２４】
９は蒸発器である蒸発器７に空気を搬送する送風ファンであり、蒸発器７の熱交換能力を促進している。
【００２５】
１０は冷媒回路８の中で、水冷媒熱交換器５にロウ付けされて取り付けられた凝縮温センサー、１１は圧縮機４の圧縮機吐出配管１２に設けられた圧縮機出口温センサー、１３は蒸発器７の空気熱交出口配管１４に設けられた空気熱交出口温センサーである。
【００２６】
一方、水冷媒熱交換器５に水あるいは不凍液などの熱媒を循環し、冷媒と熱交換を行うのが温水回路１５である。１６は、温水回路１５内の水あるいは不凍液などの熱媒を強制的に循環する循環ポンプであり、水冷媒熱交換器５の上流側に配されている。
【００２７】
１７は、循環ポンプ１６の上流に配された水あるいは不凍液などの熱媒の補給と、膨張した水あるいは不凍液などの熱媒のバッファの役目をするシスターンタンクであり、そのシスターンタンク１７には、水あるいは不凍液などの熱媒を補給するために開口するキャップ１８、シスターンタンク１７内の水位を検出する水位センサー１９が設けられている。
【００２８】
２０は、水冷媒熱交換器５で加熱された温水を外部放熱器２に送るために温水回路１５の往き側の末端部に設けられた熱動弁であり、使用される外部放熱器２に応じ、開放、閉止動作を行い、必要な外部放熱器２にのみ、温水を供給されるように制御される。
【００２９】
２１は熱動弁２０の先に設けられた、熱動弁と一体化されている熱媒往きポートであり、この熱媒往きポート２１に熱媒配管３が接続される。全ての外部放熱器２が使用されない時は、熱動弁２０は閉止されている。図中では、熱動弁２０を４個備えた図となっているが、これは１個の場合もあれば、４個以上の複数の場合もある。
【００３０】
２２は、熱動弁と一体化されている温水回路１５と、熱動弁２０をつなぐ往きヘッダ管であり、温水回路１５の１箇所が、熱動弁２０の数量に応じた複数個所へと分岐される。
【００３１】
２３は、外部放熱器２で放熱されて、温度の低下した温水が温水回路１５に戻ってくる際の熱媒戻りポートであり、この熱媒戻りポート数は、熱動弁２０と同じ数量具備しており、この図１では４ヵ所備えている。
【００３２】
この熱媒戻りポート２３には、戻りヘッダ２４があり、複数の外部放熱器より戻ってきた温水を機器内部の温水回路１５へと合流する。
【００３３】
２５は、水冷媒熱交換器５に入る温水の温度を測定する水冷媒熱交換器入口温センサー、２６は、水冷媒熱交換器５の出口側の水あるいは不凍液などの熱媒の温度を測定するための水冷媒熱交換器出口温センサーである。
【００３４】
２７は、ヒートポンプ温水暖房装置の各種アクチュエーターやセンサーの制御を行う電子制御装置、２８は機器の運転を行い、各種設定を行うリモコンである。
【００３５】
この図１のヒートポンプ温水暖房装置の冷媒回路及び温水回路図で示した部品をレイアウトしたヒートポンプ温水暖房装置を図２、図３、図４を用いて説明する。
【００３６】
ヒートポンプ温水暖房装置の最下部には基板２９があり、前記基板の上部は防音板３４を隔てて、圧縮機４と減圧手段である膨張弁６を冷媒配管で環状に接続した冷媒回路８と、他方に蒸発器７と、空気と冷媒の熱交換を促進する送風ファン９及び、それを駆動させるモータ３２にを具備した送風回路を形成している。
【００３７】
水冷媒熱交換器５は外側に冷媒管５ａを内側に水管５ｂを配した二重管構造の熱交換器であり、螺旋状に形成された二重管が積層し構成される。（この積層数は特に限定されるものではない。）二重管内の流体の流れは、冷媒と水または不凍液が対向流となっており熱交換を行っている。
【００３８】
水冷媒熱交換器５を構成する冷媒管５ａは、冷媒回路８の一部を形成しており圧縮機４にて生成した高温の冷媒が吐出配管１２で接続され、水冷媒熱交換器５にて水または不凍液と熱交換を行い高温水を生成する。
【００３９】
一方、水管５ｂを循環する水は、積層された二重管の最下層から上部へと加熱される。
また、水冷媒熱交換器５と熱動弁２０あるいは、熱媒戻りポート２３を結ぶ熱媒配管は、圧縮機４の前面を通してある。
【００４０】
図２にあるように、水冷媒熱交換器５は断熱性を高めるため、発泡スチロールなどの断熱材上３０ａ及び断熱材下３０ｂでその周囲を覆われており、断熱材下３０ｂは基板２９の平面凹凸形状に係合するように基板２９上に設置されている。
【００４１】
さらに周囲を断熱材３０ａ及び３０ｂに収納された水冷媒熱交換器５は、基板２９底部から高さ１２３ｍｍに上部が位置するカバー３１にて、前後左右上面を覆われている（図４では、水冷媒熱交換器５が見えるように、放熱器断熱材３０ａ及び３０ｂ、カバー体３１の一部をカットしている、実際にはこのようにカットされている形状ではない）。
【００４２】
また前記水冷媒熱交換器５の上部には、送風ファン９と、送風ファン９を駆動する送風モータ３２がモータ台３３にて保持されており、モータ台３３はカバー体３１の上面に固定されている。その背面にはＬ字状に曲げられた蒸発器である蒸発器７が基板２９に設置されており、送風ファン９によって強制的に空気を通過させ、空気と冷媒の熱交換を促進する構成となっている。
【００４３】
電子制御装置２７は、防音板３４の上部に配置されており、この電子制御装置２７から、右側方に電源線接続ターミナル３５ａ、リモコン接続ターミナル３５ｂが取り出されている。
【００４４】
以上、ここまで記載した各種部品が、ヒートポンプ温水暖房装置の室外機１の外装体３６に収納されている。この外装体３６は、図４の外観斜視図で示すように、基板２９に取り付けられた、前方を覆う前板３７、右側方及び右後方を覆う右側板３８、左側方を覆う左側板３９があり、前板３７、右側板３８、左側板３９に載置されて上方を覆う天板４０で構成されている。さらに右側板２８側には、配管カバー５３が取り付けられている。
【００４５】
図２、図３にもどり、熱動弁２０及び熱媒戻りポート２３は外装体３６の右側方を形成する右側板３８の外側に隣接して配置された取付金具４１に互いに並列して取り付けらている。
【００４６】
この時、外装体３６の右側に張り出した熱動弁と熱媒戻りポートは配管接続口を除き、取付金具４１とカバー４２にて周囲を覆われた構成となっている。
【００４７】
さらにその外周に配管カバー５３を配し、電源線接続ターミナル３５ａ、リモコン接続ターミナル３５ｂ及び取付金具４１に固定された熱動弁２０と熱媒戻りポート２３への外部からの水の浸入を防止する。
【００４８】
２２は熱動弁２０に接続された往きヘッダ管であり、この往きヘッダ管２２と、水冷媒熱交換器５の水管５ｂを接続するのが熱動弁配管４３である。また、この熱動弁配管４３には水冷媒熱交換器出口温センサー２６が取り付けられている。
【００４９】
１７は、外装体３６の右側板３８の背面側に配置したシスターンタンクである。このシスターンタンク１７下面には、熱媒戻りポート２３と一体化された戻りヘッダ管２４に接続される戻りポート熱媒配管４４が接続されており、外部放熱器２により、放熱され温度の低下した水あるいは不凍液などの熱媒が、シスターンタンク１７に導かれることとなる。
【００５０】
また、シスターンタンク１７上方には水あるいは不凍液などの熱媒を補給するキャップ
１８が設けられており、一部に切れ込みがあり、シスターンタンク１７内の上昇した圧力を逃がすこともできる。
【００５１】
また、シスターンタンク１７に規定以上の水あるいは不凍液などの熱媒が入れられた際は、このキャップ１８より膨張した水あるいは不凍液などの熱媒が溢れることとなり、それを外方に逃がすこととしている。
【００５２】
１９は、シスターンタンク１７に設けられた、水位センサーであり、シスターンタンク１７内の水位を検知し、水位が下がると、警告を使用者に知らせ、リモコン２８に表示することで、水あるいは不凍液などの熱媒の補給を使用者に促す。
【００５３】
循環ポンプ１６はシスターンタンク１７の直下に搭載し、シスターンタンク１７と同様に外装体３６の冷媒回路側背面側から後方に張り出した位置に配置されている。
【００５４】
循環ポンプ１６は、温水回路１５内を、温水が強制的に循環するように運転を行う。この循環ポンプ１６は、水冷媒熱交換器５の配管ｂとポンプ出口配管４６によって接続されており、このポンプ出口配管４６には水冷媒熱交換器５に入る温水の温度を測定する水冷媒熱交換器入口温センサー２５が取り付けてある。
【００５５】
図５は、外装体３６の背面に設けた後方外装体４７の構成を示すヒートポンプ温水暖房装置の外観斜視図である。循環ポンプ１６、シスターンタンク１７は、外装体３６の冷媒回路側背面の右側板３８後方に凸状に張り出した後方外装体４７の内部に配置されており、その周囲を後方外装体４７にて覆われている。
【００５６】
この後方外装体４７は、後方外装体４７の下部を構成する底板４８、外装体の周囲を覆う外箱４９、上面を覆う天板５０で構成されている。
【００５７】
また図６に示すように、後方外装体４７を構成する底板４８は、外装体３６の背面及び右側面の外郭を形成する右側板３８の背面側にネジにて締結固定され、その上部に循環ポンプ１６及び、シスターンタンク１７が縦列に配置される。
【００５８】
さらに右側板３８の背面側に後方外装体４７の外箱４９を締結固定するための固定板５１と５２が取り付けられている。
【００５９】
この時前記底板４８は、図７に示すように外装体３６の最下面にあたる基板２９脚部より１１１ｍｍ上方の位置で右側板３８に締結固定され、続いて外箱４９及び天板５０を取り付け後方外装体４７が構成される。また、周囲を断熱材３０ａ及び３０ｂに収納された水冷媒熱交換器５は、基板２９底部から高さ１２３ｍｍに上部が位置するカバー３１にて、前後左右上面を覆われている
その際、外箱４９の蒸発器７側を形成する面には図８に示すように、後方外装体４７の内側に向かい折り曲げ面４９ａが形成されている。
【００６０】
一方、図９に示すように固定板５２にも前記外箱折り曲げ４９ａに相対して折り曲げ面５２ａが設けられており、固定板５２と折り曲げ面５２ａの内側の隙間寸法Ａは外箱折り曲げ面４９ａの素材厚みより広い寸法を確保した、互いに嵌合する構成とし外箱４９を上部よりセットする際は、外箱折り曲げ面４９ａは、固定板５２と折り曲げ面５２ａの間に確保した隙間寸法Ａに沿って所定の位置にセット、固定される。
【００６１】
他方固定板５１は外箱４９とネジで締結固定し、後方外装体４７の周囲を覆うものである。さらに後方外装体４７の上面を形成する露出したキャップ１８の周囲と本体右側面へ
向かう絞り形状５０ａを設けた天板５０をセットし、シスターンタンク１７の給水口を外郭に露出した図５に示す後方外装体４７が形成される。
【００６２】
前述した構成にてヒートポンプ温水暖房装置の室外機１に熱媒配管３を接続した施行図が、図１０である。
【００６３】
通常この種のユニットは、ユニット内の熱交換にて生成された凝縮水をドレン水として機器外部に適切に処理するためにブロック５４を用いて、その上部にヒートポンプ温水暖房装置を設置し、地面とヒートポンプ温水暖房装置の底部との距離を１００ｍｍ以上確保した施工状態が一般的である。前記ブロック５４は一般的に市販されておりコンクリートまたは樹脂で形成されている。
【００６４】
３は、熱媒往きポート２１、熱媒戻りポート２３に取り付けられた熱媒配管であり、この熱媒配管は、内部に架橋ＰＥ管となっており、その外方に被覆材として断熱材が設けられている。架橋ポリエチレン管の径としては、φ１０が主として使用される。
【００６５】
そして、この熱媒配管３を外部放熱器２と接続して、ヒートポンプ温水暖房装置の室外機１で加熱された水あるいは不凍液などの熱媒を、熱媒往きポート２１から、熱媒往き配管３ａを通り、外部放熱器２へと送り、暖房を行い、そこで熱交換されて低温となった、水あるいは不凍液などの熱媒が、熱媒戻り配管３ｂを通り、熱媒戻りポート２３へと戻され、ヒートポンプ温水暖房装置の室外機１の中で、再度加熱されることとなり、この動作を繰り返すこととなる。
【００６６】
この熱媒配管３の引き回しには、熱媒配管３を蒸発器７背面を通過する左引き回し、その逆に本体正面から見て右側へ引き出す右引き回し、そのまま壁面に真直ぐに家屋に引き出す各引き回し方法があるが、この図では、機器の性能低下への影響及び最も施工性の困難な左引き回しによる施工例を示している（それ以外にも置き台を用いた施工などもある）。
【００６７】
以上のように構成されたヒートポンプ温水暖房装置について、以下その動作、作用を説明する。
【００６８】
まず、外装体３６の冷媒回路側背面に凸状に形成した後方外装体４７を設け、前記後方外装体４７の底部を構成する底板４８の取付位置を外装体３６の設置面である基板２９の脚部より１１１ｍｍ以上確保することで、後方外装体４７の下部には、後方外装体４７を上部見た際の投影面積分の空間を確保した構成となる。
【００６９】
合わせて施工時に一般的に使用するブロック５４の高さ１００ｍｍを合算することにより設置面（地面）より後方外装体４７の底部までの距離２２１ｍｍ以上の高さ寸法を確保できることができる。
【００７０】
この高さ寸法を確保することにより、図１０及び図１１のように熱媒配管３を蒸発器７の背面を通過する左引き回しを行う場合、長期耐久性に支障の無い範囲での曲げ加工で配管施工なスペースを確保できる。
【００７１】
以上のように、本実施の形態において、ヒートポンプ温水暖房装置の室外機１の外装体３６の設置面である基板２９の脚部と後方外装体底部、水冷媒熱交換器の上部の位置関係を定量的に空間を確保することで、施工状態において、外装体の右側方に取付け金具によって並列に設置された熱動弁及び熱媒戻りポートに接続された熱媒配管の引き回しスペース、および、蒸発器における通風路を確保できる。
【００７２】
同時に熱媒配管を蒸発器側へ配管施工した際の熱媒配管による通風妨害を防止し、性能の低下を防止することができる。
【００７３】
また、本実施の形態の凸部を形成する後方外装体の左右及び後方向を構成する外箱と外箱を固定する固定具に折り曲げ面を設け嵌合構成とすることで、天板を上部よりセットする際、外箱の蒸発器側を形成する面から内側に向けて構成した折り曲げ面が、固定具とその折曲げ面の間に構成された隙間に沿って外箱を所定の位置まで導き、同時に固定されるため、蒸発器側からのビスの脱着作業を廃止し、蒸発器のフィンによる怪我を防止し、メンテナンス時の安全性を確保することができる。
【００７４】
また、本実施の形態の凸部を形成する後方外装体内に内臓されたシスタータンクの給水口を、前記後方外装体の上部に露出させた構成とすることで、外装体を脱着せずに、容易に給水作業が行えメンテナス性が向上できる。
【００７５】
また、本実施の形態の凸部を形成する後方外装体の上方を構成する天板に、露出した給水口の周囲と本体右側面へ向かう絞り形状を設けることで、給水作業時に溢れた水または不凍液の流水経路を絞り形状によって本体右方向へ排出するように規制でき、ヒートポンプ温水暖房装置の背面に位置する家屋外壁の損傷を防止することができる。
【産業上の利用可能性】
【００７６】
以上のように、本発明にかかるヒートポンプ温水暖房装置は、据付時の性能低下の防止と施工性を向上させ、同時にメンテナス作業の向上が可能となるので、機器に温水回路と冷媒回路を内臓した給湯器または暖房用装置等の用途にも適用できる。
【符号の説明】
【００７７】
１  ヒートポンプ温水暖房装置の室外機
２  外部放熱器
３  熱媒配管
４  圧縮機
５  水冷媒熱交換器
７  蒸発器
８  冷媒回路
１５  温水回路
１６  循環ポンプ
１７  シスターンタンク
２１  熱媒往きポート
２３  熱媒戻りポート
３６  外装体
４７  後方外装体
５３  配管カバー
【図１】
0005786135.tif 000002
【図２】
0005786135.tif 000003
【図３】
0005786135.tif 000004
【図４】
0005786135.tif 000005
【図５】
0005786135.tif 000006
【図６】
0005786135.tif 000007
【図７】
0005786135.tif 000008
【図８】
0005786135.tif 000009
【図９】
0005786135.tif 000010
【図１０】
0005786135.tif 000011
【図１１】
0005786135.tif 000012
【図１２】
0005786135.tif 000013
【図１３】
0005786135.tif 000014